【手続補正書】
【提出日】平成15年7月23日(2003.7.23)
【手続補正１】
【補正対象書類名】明細書
【補正対象項目名】特許請求の範囲
【補正方法】変更
【補正の内容】
【特許請求の範囲】
【請求項１】
布の表面をガイドする凹形ガイド面を有する固定ガイドと、前記凹形ガイド面に対向し布を前記凹形ガイド面に押圧する押圧面を備え前記固定ガイドに対し接離しうる移動ガイドと、
前記固定ガイドの凹形ガイド面に開口し前記移動ガイドに向けて空気流を噴射するエアノズルと、
前記エアノズルから噴射された空気流を排気する排気口が開口し布の先端をガイドする先端ガイド面を備えた排気部材とを有するエア式ヘムガイド装置において、
前記排気部材の先端ガイド面を布送り方向に対し傾斜させたことを特徴とするエア式ヘムガイド装置。
【請求項２】
布の表面をガイドする凹形ガイド面を有する固定ガイドと、前記凹形ガイド面に対向し布を前記凹形ガイド面に押圧する押圧面を備え前記固定ガイドに対し接離しうる移動ガイドと、
前記固定ガイドの凹形ガイド面に開口し前記移動ガイドに向けて空気流を噴射するエアノズルと、
前記エアノズルから噴射された空気流を排気する排気口が開口し布の先端をガイドする先端ガイド面を備えた排気部材とを有するエア式ヘムガイド装置において、
前記排気部材の先端ガイド面を湾曲させたことを特徴とするエア式ヘムガイド装置。
【請求項３】
前記押圧面を布送り方向に対し傾斜させたことを特徴とする請求項１または請求項２に記載のエア式ヘムガイド装置。
【請求項４】
前記押圧面を湾曲させたことを特徴とする請求項１または請求項２に記載のエア式ヘムガイド装置。
【請求項５】
前記固定ガイドを回動可能にするとともに、この固定ガイド内に形成されている前記エアノズル挿通用の通路を横方向に拡開した形状としたことを特徴とする請求項１ないし請求項４のいずれか１項に記載のエア式ヘムガイド装置。
【請求項６】
前記移動ガイドが、前記押圧面を備えたガイド片と、このガイド片を固定して前記固定ガイドの凹形ガイド面に対して接離する本体とを備え、  布送り方向において前記ガイド片より上流側に位置する前記移動ガイドの前記本体の先端縁を布送り方向下流側ほど前記固定ガイドに近接するように布送り方向に対し傾斜させたことを特徴とする請求項１ないし請求項５のいずれか１項に記載のエア式ヘムガイド装置。
【請求項７】
前記排気部材を表裏逆に装着可能としたことを特徴とする請求項１ないし請求項６のいずれか１項に記載のエア式ヘムガイド装置。
【請求項８】
前記移動ガイドが、前記押圧面を備えたガイド片と、このガイド片を固定して前記固定ガイドの凹形ガイド面に対して接離する本体とを備え、  前記ガイド片を前記本体に表裏逆に装着可能としたことを特徴とする請求項３ないし請求項７のいずれか１項に記載のエア式ヘムガイド装置。
【請求項９】
布の表面をガイドする凹形ガイド面を有する固定ガイドと、前記凹形ガイド面に対向し布を前記凹形ガイド面に押圧する押圧面を備え前記固定ガイドに対し接離しうる移動ガイドと、
前記固定ガイドの凹形ガイド面に開口し前記移動ガイドに向けて空気流を噴射するエアノズルと、
前記エアノズルから噴射された空気流を排気する排気口が開口し布の先端をガイドする先端ガイド面を備えた排気部材とを有するエア式ヘムガイド装置において、
布の先端を前記先端ガイド面方向に伸長させるために空気流を噴射する他のエアノズルを配設したことを特徴とするエア式ヘムガイド装置。
【請求項１０】
前記各エアノズルからの空気流の風量を調節可能としたことを特徴とする請求項９に記載のエア式ヘムガイド装置。
【手続補正２】
【補正対象書類名】明細書
【補正対象項目名】０００８
【補正方法】変更
【補正の内容】
【０００８】
【課題を解決するための手段】
前述した目的を達成するため請求項１に記載の本発明のエア式ヘムガイド装置の特徴は、排気部材の先端ガイド面を布送り方向に対し傾斜させた点にある。また、請求項２に記載の本発明のエア式ヘムガイド装置の特徴は、排気部材の先端ガイド面を湾曲させた点にある。そして、このような構成を採用したことにより、湾曲している布であっても排気部材の先端ガイド面により安定的に案内して良好にヘム縫いを行なうことができる。


【手続補正３】
【補正対象書類名】明細書
【補正対象項目名】０００９
【補正方法】変更
【補正の内容】
【０００９】
請求項３に記載の本発明のエア式ヘムガイド装置の特徴は、移動ガイドの押圧面を布送り方向に対し傾斜させた点にあり、さらに、請求項４に記載の本発明のエア式ヘムガイド装置の特徴は、移動ガイドの押圧面を湾曲させた点にある。そして、このような構成を採用したことにより、湾曲している布であっても移動ガイドの押圧面により安定的に案内して良好にヘム縫いを行なうことができる。


【手続補正４】
【補正対象書類名】明細書
【補正対象項目名】００１０
【補正方法】変更
【補正の内容】
【００１０】
請求項５に記載の本発明のエア式ヘムガイド装置の特徴は、固定ガイドを回動可能にするとともに、この固定ガイド内に形成されている前記エアノズル挿通用の通路を横方向に拡開した形状とした点にある。そして、このような構成を採用したことにより、排気部材の先端ガイド面および移動ガイドの押圧面の少なくとも一方の形状に合わせて固定ガイドの向きを設定することができ、しかも、エアノズルの向きを変化させることなく固定ガイドを回動できるので、エアノズルからの空気流を安定的に排気口方向に噴射することができる。


【手続補正５】
【補正対象書類名】明細書
【補正対象項目名】００１１
【補正方法】変更
【補正の内容】
【００１１】
請求項６に記載の本発明のエア式ヘムガイド装置の特徴は、布送り方向においてガイド片より上流側に位置する移動ガイドの本体の先端縁を布送り方向下流側ほど固定ガイドに近接するように布送り方向に対し傾斜させた点にある。そして、このような構成を採用したことにより、裾や袖のように筒状とされている箇所のヘム縫いを行なう際、縫製の最終段階において縫いはじめの部位が装置に進入してきてもこの部位の布を逃がすことができる。


【手続補正６】
【補正対象書類名】明細書
【補正対象項目名】００１２
【補正方法】変更
【補正の内容】
【００１２】
請求項７に記載の本発明のエア式ヘムガイド装置の特徴は、排気部材を表裏逆に装着可能とした点にあり、また、請求項８に記載の本発明のエア式ヘムガイド装置の特徴は、ガイド片を本体に表裏逆に装着可能とした点にある。そして、このような構成を採用したことにより、アウトカーブ、インカーブという湾曲の方向を異にする２種の湾曲形状に対応して布を安定的に案内することができる。


【手続補正７】
【補正対象書類名】明細書
【補正対象項目名】００１３
【補正方法】変更
【補正の内容】
【００１３】
請求項９に記載の本発明のエア式ヘムガイド装置の特徴は、布の先端を先端ガイド面方向に伸長させるために空気流を噴射する他のエアノズルを配設した点にある。そして、このような構成を採用したことにより、先端がカールしやすい布であっても、この他のエアノズルからの空気流によりカールしやすい布の先端をカールさせることなく安定的に保持することができる。


【手続補正８】
【補正対象書類名】明細書
【補正対象項目名】００１４
【補正方法】変更
【補正の内容】
【００１４】
請求項１０に記載の本発明のエア式ヘムガイド装置の特徴は、各エアノズルからの空気流の風量を調節可能とした点にある。そして、このような構成を採用したことにより、布の種類や厚さに合わせて布の保持に最適な圧力の空気流の噴射を行なうことができる。


【手続補正９】
【補正対象書類名】明細書
【補正対象項目名】００４１
【補正方法】変更
【補正の内容】
【００４１】
さらに、移動ガイド１６の本体１７の水平部１７Ａの先端縁２７を布送り方向に対し、布送り方向上流側ほど固定ガイド３から離間するように傾斜させたので、筒状の布の縫製の際にも布の案内に支障をきたすことがない。


【手続補正１０】
【補正対象書類名】明細書
【補正対象項目名】００４３
【補正方法】変更
【補正の内容】
【００４３】
【発明の効果】
以上説明したように本発明によれば、湾曲している布であっても排気部材の先端ガイド面により安定的に案内して良好にヘム縫いを行なうことができる。また、湾曲している布であっても移動ガイドないしガイド片の押圧面により安定的に案内して良好にヘム縫いを行なうことができる。さらに、排気部材の先端ガイド面および移動ガイドの押圧面の少なくとも一方の形状に合わせて固定ガイドの向きを設定することができ、しかも、エアノズルの向きを変化させることなく固定ガイドを回動できるので、エアノズルからの空気流を安定的に排気口方向に噴射することができる。さらにまた、移動ガイドの先端縁が傾斜配置されているので、筒状とされている箇所のヘム縫いを行なう際、縫製の最終段階において縫いはじめの部位が進入してきてもこの部位の布を逃がすことができる。また、ガイド片や排気板を表裏逆に装着できるので、アウトカーブ、インカーブという湾曲の方向を異にする２種の湾曲形状に対応して布を安定的に案内することができる。さらに、布の先端を先端ガイド面方向に伸長させるために空気流を噴射する他のエアノズルを配設したので、先端がカールしやすい布であっても、この他のエアノズルからの空気流によりカールしやすい布の先端をカールさせることなく安定的に保持することができる。さらにまた、各エアノズルからの空気流の風量を調節可能としたので、布の種類や厚さに合わせて布の保持に最適な圧力の空気流の噴射を行なうことができる。